(57)【要約】      （修正有）【課題】ペット用柵への取り付け性を改善したペット用給水器を提供する。【解決手段】ペットに飲料水を与えるための飲料水トレイ１と、飲料水トレイ１を保持するためペット用柵の内側に配置される第１保持部材と、飲料水トレイ１を保持するためペット用柵の外側に配置される第２保持部材３と、第２保持部材３に着脱自在に結合され、第２保持部材３をカバーするカバー部材４と、カバー部材４の上部に配置され、ペットボトルからの飲料通路を形成するための飲料通路形成部６，７と、第１保持部材と第２保持部材３とでペット用柵を挟持するように両者を結合するためのナット５と、第１保持部材に設けられ、ナット５に結合されるボルトと、を備え、カバー部材４を装着する前に、ペット用柵の外側からナット５を作用させて、第１保持部材と第２保持部材３とを結合可能に構成した。【選択図】図３
2019088230.tif 000002
【特許請求の範囲】
【請求項１】
ペットに飲料水を与えるための飲料水トレイと、
飲料水トレイを保持するためペット用柵の内側に配置される第１保持部材と、
飲料水トレイを保持するためペット用柵の外側に配置される第２保持部材と、
第２保持部材に着脱自在に結合され、第２保持部材をカバーするカバー部材と、
カバー部材の上部に配置され、飲料容器からの飲料通路を形成するための飲料通路形成部と、
第１保持部材と第２保持部材とでペット用柵を挟持するように両者を結合するための結合部材と、
第１保持部材に設けられ、前記結合部材に結合される被結合部と、を備え、
前記カバー部材を装着する前に、ペット用柵の外側から結合部材を作用させて、第１保持部材と第２保持部材とを結合可能に構成したことを特徴とするペット用給水器。
【請求項２】
前記被結合部は、第２保持部材側に突出したボルトであり、
前記結合部材は、前記ボルトに螺合可能なナットであり、
前記第２保持部材には、前記ボルトが貫通可能な穴が形成されていることを特徴とする請求項１に記載のペット用給水器。
【請求項３】
前記第１保持部材と第２保持部材は、いずれも平板状の本体部を有しており、本体部同士がペット用柵を挟んで向かい合うように結合されることを特徴とする請求項１又は２に記載のペット用給水器。
【請求項４】
前記第２保持部材にはカバー部材に形成された係合孔に係合される係合爪が一体形成されていることを特徴とする請求項１~３のいずれか１項に記載のペット用給水器。
【請求項５】
前記飲料通路形成部には、飲料水を改質するためのカートリッジを着脱自在に保持するカートリッジ保持部が設けられていることを特徴とする請求項１~４のいずれか１項に記載のペット用給水器。
【発明の詳細な説明】
【技術分野】
【０００１】
本発明は、犬、猫等のペット用柵に取り付けられるペット用給水器に関するものである。
【背景技術】
【０００２】
かかるペット用給水器として、下記特許文献に開示されるものが公知である。このペット用給水器は、ペットが飲水するための受水皿と、受水皿を保持するための保持具と、受水皿に水を補給する給水容器を着脱自在に支持するための支持具と、保持具と支持具でペット用柵を挟持するように固定するための固定具を備えている。固定具に形成された雄ねじにより、支持具に形成された雌ねじに螺着することで、保持具と支持具を結合して固定する。
【先行技術文献】
【特許文献】
【０００３】
【特許文献１】特開２０１４−４５７１７号公報
【発明の概要】
【発明が解決しようとする課題】
【０００４】
このペット用給水器では、ペット用柵の内側から固定具を回して支持具の雌ねじに螺着させる必要がある。従って、ペット用柵の大きさ等によっては、固定具の操作がやり難くなることがありうる。
【０００５】
本発明は上記実情に鑑みてなされたものであり、その課題は、ペット用柵への取り付け性を改善したペット用給水器を提供することである。
【課題を解決するための手段】
【０００６】
上記課題を解決するため本発明に係るペット用給水器は、
ペットに飲料水を与えるための飲料水トレイと、
飲料水トレイを保持するためペット用柵の内側に配置される第１保持部材と、
飲料水トレイを保持するためペット用柵の外側に配置される第２保持部材と、
第２保持部材に着脱自在に結合され、第２保持部材をカバーするカバー部材と、
カバー部材の上部に配置され、飲料容器からの飲料通路を形成するための飲料通路形成部と、
第１保持部材と第２保持部材とでペット用柵を挟持するように両者を結合するための結合部材と、
第１保持部材に設けられ、前記結合部材に結合される被結合部と、を備え、
前記カバー部材を装着する前に、ペット用柵の外側から結合部材を作用させて、第１保持部材と第２保持部材とを結合可能に構成したことを特徴とするものである。
【０００７】
かかる構成によるペット用給水器の作用・効果を説明する。この構成によると、ペット用給水器をペット用柵に取り付けるに際して、まず、第１保持部材と第２保持部材によりペット用柵を挟持した状態で結合部材により両者を結合する。カバー部材及び飲料通路形成部は、あとから組み立てることができるので、ペット用柵の外側に配置される第２保持部材の側からの結合作業が可能である。前述の先行技術のように第２保持部材とカバー部材が一体化された支持具の構成にすると、ペット用柵の外側からの作業を可能にする構成が困難になる。本発明のような構成にすれば、ペット用柵の外側からの作業が可能になり、第１保持部材と第２保持部材を結合した後、カバー部材を第２保持部材に装着し、さらに飲料通路形成部を結合すればよい。その結果、ペット用柵への取り付け性を改善したペット用給水器を提供することができる。
【０００８】
本発明に係る前記被結合部は、第２保持部材側に突出したボルトであり、前記結合部材は、前記ボルトに螺合可能なナットであり、前記第２保持部材には、前記ボルトが貫通可能な穴が形成されていることが好ましい。
【０００９】
この構成によると、ペット用給水器を組み立てるときに、ボルトがペット用柵の外側に突出するように構成することができ、ナットによる締め付け作業を容易に行うことができる。なお、被結合部（ボルト）は、第１保持部材と一体成形してもよいし、被結合部（ボルト）を別部品として一体的に結合するようにしてもよい。
【００１０】
本発明に係る前記第１保持部材と第２保持部材は、いずれも平板状の本体部を有しており、本体部同士がペット用柵を挟んで向かい合うように結合されることが好ましい。
【００１１】
第１保持部材と第２保持部材が平板状の本体部を有することで、両者の厚みの増加を抑制することができ、結合部材による結合作業を容易にさせることができる。
【００１２】
本発明において、前記第２保持部材にはカバー部材に形成された係合孔に係合される係合爪が一体形成されていることが好ましい。
【００１３】
この構成によると、カバー部材を第２保持部材に対して、ワンタッチで係合させることができ、作業性を良くすることができる。
【００１４】
本発明に係る前記飲料通路形成部には、飲料水を改質するためのカートリッジを着脱自在に保持するカートリッジ保持部が設けられていることが好ましい。
【００１５】
かかる構成により、改質の一例として、例えば、飲料水を軟水化したほうがよいペットの場合はカートリッジを装着し、その必要がないペットの場合は、カートリッジを装着しなければよい。従って、多種のペットに対応することができる。
【図面の簡単な説明】
【００１６】
【図１】本実施形態に係るペット用給水器をペット用柵に取り付けた状態を示す外観斜視図
【図２】図１に示すペット用給水器の分解縦断面図
【図３】図１に示すペット用給水器の分解斜視図
【図４】本実施形態に係るペット用給水器の組み立てた状態の側面図
【図５】本実施形態に係るペット用給水器の組み立てた状態の縦断面図
【図６】図４のＡ−Ａ断面図
【図７】組立手順を説明するための側面図
【図８】組立手順を説明するための平面図
【図９】組立手順を説明するための斜視図
【図１０Ａ】飲料水カートリッジの平面図
【図１０Ｂ】飲料水カートリッジの縦断面図
【図１０Ｃ】飲料水カートリッジの底面図
【図１１】飲料水カートリッジの作用を説明する図
【発明を実施するための形態】
【００１７】
本発明に係るペット用給水器の好適な実施形態をまず説明する。図１は、本実施形態に係るペット用給水器をペット用柵に取り付けた状態を示す外観斜視図である。図２は、図１に示すペット用給水器の分解縦断面図である。図３は、図１に示すペット用給水器の分解斜視図である。図４は、本実施形態に係るペット用給水器の組み立てた状態の側面図である。図５は、本実施形態に係るペット用給水器の組み立てた状態の縦断面図である。
【００１８】
本発明が対象とするペットは、犬、猫、うさぎ等であるが、特定のペットに限定されるものではない。また、ペットが飼育されるペット用柵についても、特定の形態に限定されるものではない。本実施形態では、ペットとして犬用のペット用給水器について説明する。
【００１９】
図１に示すように、基本的な構成として、ペット用給水器は、飲料水トレイ１と、飲料水トレイ１を保持するための第１保持部材２と、同じく飲料水トレイを保持するための第２保持部材３と、第２保持部材３をカバーするためのカバー部材４を備えている。図１は、ペット用給水器をペット用柵Ｆの内側（ペットが飼育される側）から見た図である。図１からもわかるように、第１保持部材２は、ペット用柵Ｆの内側に配置され、第２保持部材３は、ペット用柵Ｆの外側に配置される。
【００２０】
飲料水トレイ１は、トレイ本体１０と柄１１が一体成形されている。飲料水トレイ１は、ペットの種類に応じてトレイ本体１０の形状を変更するが、柄１１についてはペットの種類に関係なく共通の形状を有する。柄１１の断面形状は凹溝であり、端壁部１１ａで閉じた形状を有する（図５、図９を参照）。凹溝の深さよりもトレイ本体１０の底の方が深くなっており確実に飲料水がトレイ本体１０に導かれるように構成されている。
【００２１】
図３等に示すように、第１保持部材２は、垂直姿勢で組み込まれる平板状の本体部２０と、本体部２０から水平方向に突出するように一体形成されたボルト２１と、飲料水トレイ１の柄１１が貫通する穴２２を備えている。穴２２の形状は、ほぼ矩形である。本体部２０のペット用柵Ｆ側の表面には段差２０ａが形成され、この段差２０ａの位置に、飲料水トレイ１の上面が位置している。
【００２２】
第２保持部材３は、垂直姿勢で組み込まれる平板状の本体部３０を有しており、本体部３０の中央にはボルト２１が貫通する穴３０ａが形成される。また、本体部３０の穴３０ａの左右両側には、溝が垂直方向に延びる凹凸部３０ｂが一体形成される。第１保持部材２にも本体部２０に同様の凹凸部２０ｂが一体形成される（図６等参照）。このような凹凸部２０ｂ、３０ｂにより、ペット用柵Ｆを強固に挟持することができる。
【００２３】
図２に示すように、第２保持部材３の本体部３０の下部には筒部３０ｃが水平方向に突出するように一体形成されており、この筒部３０内に飲料水トレイ１の柄１１が嵌合する。また、筒部３０ｃとは反対側に張り出し部３０ｄが形成されており、穴２２に挿入される。図５に示すように、柄１１の下側に張り出し部３０ｄが位置した状態で穴２２に嵌合する。
【００２４】
図３等に示すように、第２保持部材３は、両端部から一対の係合爪３１が後方に延びている。係合爪３１は、厚さの薄い腕部３１ａと厚みのある爪部３１ｂが一体形成され、腕部３１ａが柔軟性を有するように形成される。
【００２５】
ナット５には、雌ねじが形成されており、ボルト（雄ねじ）２１と螺合可能である。ナット５の外周は、手で回しやすいように凹凸が形成されている（図９参照）。
【００２６】
カバー部材４は、第２保持部材３の背後をカバーするものであり、係合爪３１が係合する係合孔４０が形成されている。図６に示すように、組み立てた状態では、係合爪３１の爪部３１ｂが係合孔４０の端部４０ａに係合するため、カバー部材４が第２保持部材３から外れないように保持される。
【００２７】
図３に示すように、カバー部材４の上部には、第１飲料通路形成部６、第２飲料通路形成部７、飲料容器取り付け部８が順に配置される。第１飲料通路形成部６は、弁体支持ホルダー６０、弁棒６１、弁体６２、弁体付勢ばね６３を有している。
【００２８】
カバー部材４の上部には、ホルダー受け部４１が一体形成されており、弁体支持ホルダー６０を受け入れるための開口４２が形成されている（図３参照）。弁体支持ホルダー６０の上部には、係合爪６０ａが形成されており、ホルダー受け部４１に形成された係合孔４３に挿入されて、弁体支持ホルダー６がカバー部材４に係合される。係合を解除するための操作部６０ｂが係合爪６０ａの上部に設けられている。
【００２９】
弁棒６１の先端部に形成された溝に弁体６２を係合することができる。弁体６０は、組み込んだ状態で側面視逆三角形の形状を有している。さらに弁棒６１は、小径部６１ｂと大径部６１ｃを有し、大径部６１ｃが飲料水トレイ１の柄１１の底面１１ｃに当接可能である。柄１１は、底面１１ｂと底面１１ｃが連続して形成されており、底面１１ｃの方が底面１１ｂよりも少し高くなっている。
【００３０】
図５に示すように、弁体支持ホルダー６０の内部には、弁棒６１を垂直方向にガイドするためのガイド孔６０ｃが形成されている。大径部６１ｃはガイド孔６０ｃよりも大径であり、この孔を通過しない。弁体付勢ばね６３は、弁棒６１および弁体６２を下方に付勢する機能を有する。弁棒６１がガイド孔６０ｃに挿入された状態で、弁棒６１とガイド孔６０ｃの間に隙間があり、この隙間が飲料水の経路として機能する。
【００３１】
弁体支持ホルダー６０は、下方から順に小径部６０ｄ、中径部６０ｅ、大径部６０ｆが一体形成されており、その内部を飲料水が通過する。小径部６０ｄが飲料水トレイ１の柄１１の中に位置し、端壁部１１ａがその近傍に位置するように組み込まれる。従って、図５のように、弁体支持ホルダー６０が組み込まれた状態では、飲料水トレイ１を取り外すことはできない。
【００３２】
大径部６０ｆは、ホルダー受け部４１の開口４２に嵌合する大きさに設定されている。大径部６０ｆの内径部には雌ねじ６０ｇが形成されている。
【００３３】
第２飲料通路形成部７は、カートリッジホルダー７０（カートリッジ保持部に相当）と、飲料水カートリッジ７１を備えている。カートリッジホルダー７０は、下から順に小径部７０ａ、中径部７０ｂ、大径部７０ｃにより形成されている。小径部７０ａには雄ねじが形成されており、弁体支持ホルダー６０の大径部６０ｆに形成された雌ねじに螺合可能である。なお、両者を組み立てた状態では、小径部７０ａの下部にパッキン６４を挟んだ状態で組み込む。カートリッジ７１は、飲料水を軟水化させるためのフィルターが組み込まれている。カートリッジ７１は、カートリッジホルダー７０に着脱自在に装着することができ、必要でなければ、カートリッジ７１は配置しなくてもよい。大径部７０ｃの内径部には雌ねじが形成されている。カートリッジ７１の詳細については後述する。なお、フィルターの改質機能としては軟水化に限定されるものではなく、ビタミンなどが溶出できるように水に味をつけたり、活性炭を入れての濾過機能を有するフィルターでもよい。
【００３４】
飲料容器取り付け部８は、飲料容器の取り付けホルダー８０と、パッキン８１を有する。取り付けホルダー８０は、大径部８０ａと小径部８０ｂが一体形成されている。大径部８０ａには、外周に雄ねじが形成されており、カートリッジホルダー７０の大径部７０ｃに形成された雌ねじに螺合する。これにより、両者を一体的に結合して組み立てることができる。なお、組み込んだ状態では、大径部８０ａの下部にパッキン７２が位置した状態になる。パッキン７２は、カートリッジホルダー７０のパッキン挿入溝７０ｄに挿入することで組み込まれる。小径部８０ｂの内壁部には雌ねじが形成されており、ペットボトル等（不図示）の飲料容器が螺合して組み込まれる。その場合、ペットボトルの飲み口の先端にはパッキン８１が位置した状態になる。
【００３５】
＜組み立て手順＞
つぎに、本実施形態に係るペット用給水器の組立手順を説明する。図７、図８、図９に示すように、ペット用柵Ｆの内側に飲料水トレイ１と第１保持部材２を手で持つなどしてセットする。この状態で、飲料水トレイ１の柄１１は、第１保持部材２に形成された穴２２を貫通してペット用柵Ｆの外側にまで突き出る。また、第１保持部材２に形成されたボルト２１もペット用柵Ｆを貫通して外側に突き出る。
【００３６】
この状態で、第２保持部材３をペット用柵Ｆの外側からセットする。すなわち、第２保持部材３に形成された穴３０ａにボルト２１を貫通させ、飲料水トレイ１の柄１１を筒部３０ｃに貫通させる。さらに、張り出し部３０ｄを穴２２の下側から嵌入させる。この状態で、飲料水トレイ１から手を離しても、第１保持部材２と第２保持部材３により保持した状態を維持することができる。
【００３７】
つぎに、ナット５をボルト２１に螺合することで、第１保持部材２と第２保持部材３をしっかりとペット用柵Ｆに結合することができる。第１保持部材２の本体部２０に形成された凹凸部２０ｂと、第２保持部材３の本体部３０に形成された凹凸部３０ｂにより、ペット用柵Ｆを確実に挟持することができる。ナット５による締め付け作業は、ペット用柵Ｆの外側から行われるので、作業が行いやすい。
【００３８】
つぎに、第２保持部材３の背後からカバー部材４を結合する。カバー部材４をそのまま背後からスライド移動させることで、柔軟性を有する係合爪３１が変形して、係合孔４０に係合される。カバー部材４を外すときは、爪部３１ｂを手で押し込むことで係合状態を解除すればよい。
【００３９】
残りの第１飲料通路形成部６、第２飲料通路形成部７、飲料容器取り付け部８は、あらかじめ組み立てて一体化しておく。この状態では、弁棒６１は弁体付勢ばね６３の付勢力により垂直下方に付勢されている。弁棒６１と一体結合された弁体６２も下方に付勢され、斜面段差６０ｈに当接する。斜面段差６０ｈは、弁体支持ホルダー６０の小径部６０ｄと中径部６０ｅの境界に位置する。これにより、飲料通路が閉鎖された状態になる。
【００４０】
従って、第１飲料通路形成部６、第２飲料通路形成部７、飲料容器取り付け部８が一体化したユニットの状態でペットボトルを取り付けホルダー８０に結合しても飲料水が第１飲料通路形成部６の下部から漏れてくることはない。
【００４１】
上記の組み立てたユニットをカバー部材４に組み込んだ状態は、図５等に示される。第１飲料通路形成部６がカバー部材４内に挿入されていくと、まず、弁棒６１の下端（大径部６１ｃ）が飲料水トレイ１の柄１１の底面１１ｃに当接する。これにより、弁体付勢ばね６３の付勢力に抗して弁体６２が斜面段差６０ｈから離間して行き、飲料通路が開いた状態になる。これにより、飲料容器の飲料水が飲料水トレイ１のトレイ本体１０の方に供給されていく。
【００４２】
＜飲料水カートリッジの構成＞
図１０、図１１は、カートリッジ７１の実施形態を示す図である。図１０Ａは平面図、図１０Ｂは縦断面図、図１０Ｃは底面図を示す。図１１は、カートリッジ７１の作用を説明する図である。カートリッジ７１は、本体容器７１０を備えており、その内部に軟水化させるためのフィルター（例えば、イオン交換樹脂）７３が挿入される。本体容器７１０の中央部には、空気通路を形成するための円筒部７１１が形成されている。円筒部７１１の上部中心に開口７１２が形成されている。
【００４３】
本体容器７１０の上には薄いメッシュ蓋７１３が溶着されている。本体容器７１０の底には穴７１５が４カ所形成されており、その下に、蓋７１３と同じ素材のメッシュ７１４が溶着されている。なお、カートリッジ７１の形状及び構造は上記に限定されるものではなく、種々の変形例を採用することができる。
【００４４】
図１１は、カートリッジ７１の作用を示しており、矢印Ｂ１は、飲料水が落下してくる方向を示す。飲料水は、メッシュ７１３を通過した後、フィルター７３内に進入して、飲料水を軟水化した後、底面の開口７１５及びメッシュ７１４から排出される（矢印Ｂ２）。また、カートリッジ７３の下方に存在していた空気は、底面の穴７１６から矢印Ｃのように円筒部７１１を通って開口７１２から上方に抜ける。これにより、飲料水が下方にスムーズに流れていくようにしている。
【００４５】
本発明において、飲料水カートリッジ７３は、使い捨ての構成にしてもよいし、フィルター７３のみを交換する構成にしてもよい。使い捨ての構成にする場合は、フィルター７３を交換可能にするには、フィルター７３を袋に入れるなどし、着脱自在な蓋７１３を設けるように構成する。
【００４６】
また、ペットによっては、カートリッジ７３が必要ない場合がある。かかる場合は、カートリッジ７３を第２飲料通路形成部７に装着しなければ、第２飲料通路形成部７が単なる飲料通路として使用することができる。
【００４７】
＜別実施形態＞
本実施形態では、第１飲料通路形成部６と第２飲料通路形成部７により飲料通路形成部を構成しているが、カートリッジを用いない場合は、第２飲料通路形成部７は用いない構成でもよい。本実施形態において、第２飲料通路形成部７を用いない場合、ペットボトルを直接第１飲料通路形成部６の大径部６０ｆの雌ねじに結合することができる。従って、飲料容器取り付け部８も必要がない。
【符号の説明】
【００４８】
１          飲料水トレイ
１０        トレイ本体
１１        柄
２          第１保持部材
２０        本体部
２１        ボルト
２２        穴
３          第２保持部材
３０        本体部
３１        係合爪
３１ａ      腕部
３１ｂ      爪部
４          カバー部材
４０        係合孔
５          ナット
６          第１飲料通路形成部
７          第２飲料通路形成部
７１        カートリッジ
７３        軟水化フィルター
８          飲料容器取り付け部
【図１】
2019088230.tif 000003
【図２】
2019088230.tif 000004
【図３】
2019088230.tif 000005
【図４】
2019088230.tif 000006
【図５】
2019088230.tif 000007
【図６】
2019088230.tif 000008
【図７】
2019088230.tif 000009
【図８】
2019088230.tif 000010
【図９】
2019088230.tif 000011
【図１０Ａ】
2019088230.tif 000012
【図１０Ｂ】
2019088230.tif 000013
【図１０Ｃ】
2019088230.tif 000014
【図１１】
2019088230.tif 000015